Podtech/llm-jp-corpus-v4-ja_patent huggingface dataset:
(57)【要約】【課題】本考案は、既製のポケットティッシュの取り扱いに際し、ティッシュの取出し易さと保管性を考慮したポケットティッシュの入れ物である。【解決手段】本考案は、既製のポケットティッシュを収納し、ティッシュ自体が取出し易いよう取出し開口部を設け、さらに携帯する際などもポケットや鞄の中で散乱しないよう、かつティッシュの保管に清潔さを考慮し、取出し口を保護するようケースにふたを取付けたものである。また、商品としての流通性、取扱いの簡易性から組立て式に考慮されたものである。【選択図】  図１
0003102945.tif 000002
【実用新案登録請求の範囲】
【請求項１】
携帯用ポケットティッシュのケースで、ティッシュの取り出し口を設け、その取り出し口を蓋やカバーで保護したもの
【請求項２】
流通や製作のコストを押さえるため、簡易的な組み立て式で上記形状を保てるように工夫したもの
【考案の詳細な説明】
【考案の詳細な説明】
【技術分野】
【０００１】  本考案は、ポケットティッシュを取り出し易く、なおかつティッシュ自体をを保護するケースのことである。
【背景技術】
【０００２】  街中などで無料で配られるポケットティッシュは手軽に使用できるため、パスのようなケースに入れられたり、そのままポケットや鞄の中に入れられたりしている。
【考案が解決しようとする課題】
【０００３】  手軽に使用できる反面、ポケットティッシュに同封される広告が気になったり、ティッシュ自体の枚数が少なくなるにつれポケットや鞄の中で散乱し、細かな紙屑が付着したりする。また、ティッシュ自体が取り出し難く、衛生的にも保護されていない。
【課題を解決するための手段】
【０００４】  本考案は、ポケットティッシュをケースで保護し、ティッシュの取り出し口を設けることにより１枚１枚が取り出し易くなり、なおかつ取り出し口を蓋でカバーすることにより、鞄やポケットの中などでの散乱を防ぎ、ティッシュ自体を衛生的にも保護する。
【考案を実施するための最良の形態】
【０００５】  ポケットティッシュを既存包装から取り出し、もしくは開封のみしてケースの中に入れる、その挿入口とは別にティッシュの中心部分に取り出し用の開口をとる。ティッシュとケースの間にクリアランスを設けることにより、取り出しを容易にする。取り出した後はふた及びカバーをし、ティッシュを保護する。組み立て式にすることにより、流通的に商品としての価値を高める。
【実施例】
【０００６】  以下、添付図面に従い一実施例を説明する。本体Ａは耐久性のすぐれたプラスチック系及び樹脂系その他の適宣素材にて形成される。【０００７】  組立てに際ては、やま折りの部分を各々折り曲げ、ａ→ａ’、ｂ→ｂ’、ｃ→ｃ’、ｄ→ｄ’各々に差し込み、ケースの形状にする。【０００８】  それによってできるｆ部分の開口部より、既製のポケットティッシュを補充する。既製の袋のままでも構わないが、中身だけの方が取りだし易い。【０００９】  ティッシュの衛生性の考慮をし、またティッシュ自体の散乱を防ぐため、ふた部Ｃ’をＢ’部のティッシュ取出し口ｇの上にかぶせ、ｅをｅ’に差し込みふたを仮固定させる。【００１０】  ティッシュの取出しに際しては、ｅ’部よりｅをはずし、ふたＣ’を開け底部Ａ’を持ち上げながら開口部ｇよりティッシュをつまみあげる。そしてＡ’部をもとのように放すと比較的ティッシュが取出し易くなる。
【考案の効果】
上述のごとく、本考案のポケットティッシュケースにティッシュを入れることにより、使用途中で枚数が減った時など、ポケットや鞄の中で散乱しがちだったティッシュが取出し易くなおかつ補充が効き、衛生的にも携帯性がアップした。また周りに見られたく無いような諸広告などを隠すことも出来、逆にケース自体に広告性を持たせ、企業などの宣伝を計ることも出来る。
【図面の簡単な説明】
【００１１】
【図１】本考案のポケットティッシュケースの組み立て用展開図である。素材は、耐久性のすぐれたプラスチック系及び樹脂系その他の適宣素材。
【図１】
0003102945.tif 000003
【手続補正書】
【提出日】平成15年11月19日(2003.11.19)
【手続補正１】
【補正対象書類名】実用新案登録請求の範囲
【補正対象項目名】全文
【補正方法】変更
【補正の内容】
【実用新案登録請求の範囲】
【請求項１】
ポケットティッシュを入れるケースで、ティッシュの取り出し口を設け、その取り出し口を蓋やカバーで保護した携帯用ポケットティッシュケース
【請求項２】
流通や製作のコストを押さえるため、簡易的な組み立て式であることを特徴とする請求項１に記載の携帯用ポケットティッシュケース
(57)【要約】【課題】  ロールペーパーにミシン目と切れ目を各種の組み合わせで加工し、健常者も、小児、老年者、障害者にも楽に、所要量のペーパーを切り離す事ができる、又、切り離した残り部分が乱雑な形状にならないので美観的にもよい。【解決手段】使用者の視力と体の機能に適合し且つ、ペーパーホルダーの機構に合わせて選ぶ事が可能な様にロールペーパーの紙面上にミシン目と切れ目を組み合わせて構成加工をする。【選択図】    図１
0003102964.tif 000002
【実用新案登録請求の範囲】
【請求項１】
ロールペーパーにミシン目と切れ目を組み合わせ加工し、使用に際して必要量を切り離し易くする考案。
【考案の詳細な説明】
【考案の詳細な説明】
【技術分野】
【０００１】本考案は、製紙工場に於て原反のロールペーパー紙面上にミシン目刄と切れ目刄で穿孔し、市販サイズのロール巾に切斷する。
【背景技術】
【０００２】従来、ミシン目加工したロールペーパーは市販されているが、ミシン目が目視し憎く、ミシン目以外の位置で切り離してしまう事が多く、従って切り離した残り部分が乱雑な形状となることが多かった。
【考案が解決しようとする課題】
【０００３】従来の技術でのべた事例の様な切り離し事例を防ぎ、ロールペーパーの切り離しを容易に且つ美しく処理できる為の考案である。
【課題を解決する為の手段】
【０００４】上記の目的を達成するために、紙質と使用者の好みとペーパーホルダーの機構により切り離しの状態を選ぶことが可能となる様に、ミシン目と切れ目の組み合わせを選択して紙面上に加工する。
【考案を実施するための最良の形態】
【０００５】考案の実施の形態について図面を参照して説明する。
図１〜図４において、図１はロールペーパーの全体外観図で図２のミシン目と切れ目を表現している。図２は中央に切れ目、左右にミシン目を加工する形状である。図３は中央にミシン目、両端に残し巾を有する切れ目を加工する形状である。図４はミシン目を３カ所、切れ目を２カ所配分する形状である。
【発明の効果】
【０００６】本考案は、上述の様に構成され、ロールペーパー端を手で引張る事により切れ目が縦に拡がり、切り離し位置を明確に目視出来る。又、切れ目とミシン目の組み合わせが３種類に分類、加工されているので購入の時に各種のペーパーホルダーの機構に適合し、且つ使用者が使い易い種類のロールペーパーを選ぶ事ができる。
【０００７】図２の形状加工の物は、切れ目の目視が容易で、且つ切り離し抵抗が小さい為に視力の弱い人、指先動作の衰えた人に向いている。
【０００８】図３の形状加工の物は、切れ目の目視が容易で、且つ紙質が厚めを好む人に向いている。
【０００９】図４の形状加工の物は、切れ目の目視が容易で、且つ切り離し抵抗が中位を好む人に向いている。
【図面の簡単な説明】
【図１】ロールペーパー全体の立体図である。
【図２】中央に切れ目、左右にミシン目を加工する形状である。
【図３】中央にミシン目、両端に残し巾を有する切れ目を左右に加工する形状である。
【図４】ミシン目を３カ所、切れ目を２カ所配分する形状である。
【符号の説明】
Ａミシン目      Ｂ切れ目      Ｃ残し巾
【図１】
0003102964.tif 000003
【図２】
0003102964.tif 000004
【図３】
0003102964.tif 000005
【図４】
0003102964.tif 000006
【手続補正書】
【提出日】平成16年3月4日(2004.3.4)
【手続補正１】
【補正対象書類名】実用新案登録請求の範囲
【補正対象項目名】全文
【補正方法】変更
【補正の内容】
【実用新案登録請求の範囲】
【請求項１】
ロールペーパーに、切り取るための穴が点線状に入つているミシン目と、切り取り部を容易に目視しながら切り離すことができる直線状切れ目とを交互に組合せ加工してなることを特徴とする、各種ペーパーホルダー用のロールペーパー。
(57)【要約】【課題】食事内容や用途によって、お箸よりスプーンやフォークの方が使いやすいことがあるが、お箸と一緒にスプーンやフォークを収納し、持ち運ぶ際には携帯用食器具の収納容器が大きくなってしまう。【解決手段】スプーン、フォーク、ナイフなどの食器具の食品を掬ったりする部分である機能部に接続器を設け、お箸へ取り付けることにより、お箸の握持部をスプーン、フォーク、ナイフなどの食器具の握持部として共用化できるので、食器具の握持部の分だけ小さくできる。これにより、お箸と一緒にスプーン、フォーク、ナイフなどを付属して持ち運ぶ場合にでも食器具の収納容器を小型化できるものである。【選択図】図１
0003102961.tif 000002
【実用新案登録請求の範囲】
【請求項１】
お箸にスプーン、フォーク、ナイフなどの食器具を付属して持ち運ぶ携帯用食器具において、食器具は食品に直接触れる機能部と、機能部とお箸を接続するための接続器とで構成され、食器具の接続部をお箸に取り付けることにより、お箸と食器具が固定され、お箸の握持部を洋食器の握持部として共用することを特徴とする携帯用食器具。
【請求項２】
お箸にスプーン、フォーク、ナイフなどの食器具を付属して持ち運ぶ携帯用食器具の収納容器において、上蓋内部に握持部のないスプーン、フォーク、ナイフなどの食器具を固定して収納でき、下側内部にはお箸を収納できることを特徴とする携帯用食器具の収納容器。
【考案の詳細な説明】
【技術分野】
【０００１】  本考案は食事用の器具として、特に携帯用食器具に関する。
【背景技術】
【０００２】  国内の食文化は和・洋・中と多種になってきているため、その食事内容によって、食器具はお箸を使用したり、スプーンを使用したりと切替える必要がある。また、一般に食事用の器具としては、お箸が代表とされるが、お箸はスプーンやフォークより使用が難しいため、特に幼児はお箸の代わりにスプーンやフォークを使用していることが多い。このため、携帯用食器具においても、お箸のみではなく、スプーンやフォークがあった方が便利であることから、幼児のお弁当にはお箸と一緒にスプーンやフォークを収納した食器具が広く使われている。【０００３】  特開平０５−２３０５０６号では、一体構造の食器具が記載されており、スプーン、フォーク、ナイフとして代用できるので、食事内容や用途に応じて、使用する食器具を選択する必要がないことから、キャンプ等で使用する場合には大変便利である。但し、お箸としての代用することについては特に考慮されていない。
【考案の開示】
【考案が解決しようとする課題】
【０００４】  上述しているようなスプーン、フォーク、ナイフなどが一体構造で形成されている食器具は便利であるものの、お箸として使用することは考慮されていない。また、幼児のお弁当にはお箸と一緒にスプーンやフォークを収納した食器具の方が使用しやすいことから、携帯用の収納容器が大型化してしまうという課題があった。【０００５】  本考案が解決しようとする課題は、お箸とスプーン、フォーク、ナイフなどの食器具を付属して、お弁当などと一緒に携帯する食器具の小型化を図ることであるが、これまではスプーン、フォーク、ナイフなどの食器具毎に形成されている握持部をお箸の握持部にて共用化することにより、携帯用食器具の小型化を図るものである。
【課題を解決するための手段】
【０００６】  上記の課題を解決するために本考案は、スプーン、フォーク、ナイフなどの食器具の機能部に接続器を設け、お箸の先端へ取り付けられることを特徴とする。スプーン、フォーク、ナイフなどの食器具の機能部をお箸へ固定する方法としては、接続部をキャップ式としてお箸に覆い被せたり、接続部をベルト式としてお箸に巻き付ける方式などが挙げられる。この手段により、お箸の握持部をスプーン、フォーク、ナイフなどの食器具の握持部としても共用化することが可能となり、これまでの、個別にあった食器具の握持部が不要となる分、食器具を収納する際に小型化を図れるものである。
【考案の効果】
【０００７】  一般に食事で使用する頻度の高いお箸とスプーン、フォーク、ナイフなどの食器を小型化することにより、容易に携帯のできるものとなる。
【考案を実施するための最良の形態】
【０００８】  考案を実施するための最良の形態は、スプーン、フォーク、ナイフなどの機能部をお箸の先端へ取り付け、固定するものである。具体的な形態の実施例を以下に示す。
【実施例】
【０００９】  図１は本考案における実施例であり、お箸とスプーン、フォークを一緒に収納して持ち運ぶ携帯用食器具である。お箸については単独で使用することができる。スプーンとフォークについては、スプーンの機能部とフォークの機能部にキャップ式接続器を設け、食事内容や用途に応じて、お箸の先端部を挿入することにより、お箸の握持部を共用化して使用するものである。スプーンとフォークの機能部とお箸の接続方式はキャップ式、ベルト式など、その取り付け方式は限定しない。【００１０】  図２は本考案の携帯用食器具の収納に係る実施例であり、収納容器の下側にはお箸を収納している。一方、上蓋内部にはスプーンとフォークがとめ具により、固定された状態で収納されている。スプーン、フォークについては握持部がないことから、容易に上蓋内部のスペースで収納することができる。
【産業上の利用可能性】
【図面の簡単な説明】
【００１１】
【図１】本考案に係る実施例の携帯用食器具の構成図である。
【図２】本考案に係る実施例の携帯用食器具の収納状態図である。
【符号の説明】
【００１２】１・・・お箸
２・・・握持部
３・・・お箸押え
４・・・スプーンの機能部
５・・・フォークの機能部
６・・・キャップ式接続器
７・・・携帯用食器具収納容器上蓋内部
８・・・携帯用食器具収納容器下側内部
９・・・スプーン
１０・・・フォーク
１１・・・止め具
【図１】
0003102961.tif 000003
【図２】
0003102961.tif 000004
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
お箸と一緒にスプーン、フォーク、ナイフなどの食器具を付属する携帯用食器具において、食器具には握持部がなく、食品に直接触れる機能部と、機能部とお箸を接続するための接続器とで構成され、食器具をお箸に取り付けることにより、お箸を食器具の握持部として利用することを特徴とする携帯用食器具。
【請求項２】
請求項１記載の携帯用食器具の収納容器であって、収納容器の上蓋内部には食品に直接触れる機能部と、機能部とお箸を接続するための接続器で構成される食器具を固定して収納でき、下側内部にはお箸を収納できることを特徴とする携帯用食器具の収納容器。
(57)【要約】【課題】袋掛フックを設けた前後パネルでゴミ袋を覆い中身が見えない様にし、ゴミを入れ易いように手前に広く、後ろに少し開かせる。ゴミ袋の取り出しは片手で上に持ち上げるだけで取り出せる。異なるゴミ量の袋を横一列に並べて収納可能で、分別袋掛に向いたゴミ箱であり、最少の部品点数で構成する。【解決手段】凹面形状をした、前後パネル（2）、（3）を向かい合わせにして側面左右下端に一つの回転軸（7）を設けて結合し、且つ、軸位置を側面中央より手前に置くことにより、前面パネルに設けられたペタル（5）の踏込時にはパネルを手前に大きく後ろに小さな角度で開く事が出来る。それぞれのパネルの上端には一つ以上の袋掛けのフック（1）が設けられ、回転軸周りにスプリング（8）等の弾性材料を用いて、パネルを閉じる方向に作用させる。ペタルの踏込時にはパネル下端を接地支点にして開閉する。  【選択図】  図1
0003102968.tif 000002
【実用新案登録請求の範囲】
【請求項１】
上部に一つ以上の袋掛フックを有する、凹面形状をしたパネルを２枚、向かい合わせに組み合わせ、側面左右下端に一つの回転軸を設けて結合、若しくは一つの回転軸を設けフレームを介して前後パネルを固定し、その回転軸位置を側面中央より手前に設け、且つ回転軸周りにスプリング等の弾性材料を用い、パネルを閉じる方向に作用させて袋が直接目に入らないようにした分別用袋掛けごみ箱で、前パネル下端に踏込みペタルを設ける。
【考案の詳細な説明】
【技術分野】
【０００１】
本考案は買物袋再利用の袋掛用ごみ箱である。
【背景技術】
【０００２】
スーパーの買い物袋を再利用したごみ出しは筒形や箱形のごみ箱に装着するかＸフレームに袋の取手を引っ掛けて使用するのが一般的であるが分別ごみ収集用に複数の袋をセットするには不向きである。
【０００３】
買い物袋再利用のごみ箱は開口部が常に開け放たれ、中身が丸見えで見苦しいのが一般的である。蓋付は開閉に手を使うか若しくはぺダル方式であるが機構が煩雑である。袋の装着及び取り出しに難があり両手を使用する必要がある。
【０００４】
特許公開平11-130203号にはごみ袋の開口部を閉じるごみ入れスタンドがあるがその機構が複雑であり、且つ袋が横開きとなるため分別用の複数の袋掛けには不向きである。
【考案の開示】
【考案が解決しようとする課題】
【０００５】
普段はパネルで覆われ、袋の中身が見えないゴミ袋掛けで、分別用に横一列に複数の袋を掛け、個々の容量差異を利用して限られた空間で融通させながら合計で最大容量を収納する。
【０００６】
手を使わずにふたを開閉し片手で袋の着脱及び袋の取り出しが出来る
【０００７】
共通部品を多用して最小の部品点数で構成される
【課題を解決するための手段】
【０００８】
上部に袋掛けフックを有する、凹面形状をした前後パネルを向かい合わせにし、側面左右下端で一つの回転軸で結合し、且つ軸位置を中央より手前に置き、回転軸周りにスプリング等の弾性材料を用いて、パネルを閉じる方向に作用させる。
【考案の効果】
【０００９】
最少の部品点数で組み立てられる。
【００１０】
限られた枠空間にごみ容量の異なる一つ以上の袋を横一列で共存させて空間を融通しあうため、分別ゴミに適している。
【００１１】
ゴミ袋は前後パネルで覆われて中身が見えなく、袋を閉じるためにごみ箱の上部が絞り込まれてコンパクトな形状になり場所を取らない。
【００１２】
手前に袋の口が大きく開いてごみが捨て易い
袋取手をフックから外し、上に持ち上げれば自然にパネルは開くのでペタルを踏まなくても片手で取り出せる。
【考案を実施するための最良の形態】
【００１３】
最小の部品点数で構成され、量産に適するようにした。
【実施例１】
【００１４】
図１は本考案装置の断面図であってり、６．フレームは梱包時のコンパクト化、成型時のパネル回転軸結合のための側面はみ出しを無くすために置き換えたものである。
【図面の簡単な説明】
【００１５】
【図１】6.ぺタルを踏み込んでパネルが前に広く後ろに少し開いた状態の断面図である。
【図２】右前方斜視図でフレーム部を見せるため前面パネルの一部を切欠いてある。
【符号の説明】
【００１６】
袋掛フック
ゴミ袋
後面パネル
前面パネル
ペダル
フレーム
回転軸
スプリング
【図１】
0003102968.tif 000003
【図２】
0003102968.tif 000004
【手続補正書】
【提出日】平成16年3月18日(2004.3.18)
【手続補正１】
【補正対象書類名】実用新案登録請求の範囲
【補正対象項目名】請求項１
【補正方法】変更
【補正の内容】
【請求項１】
上部に一つ以上の袋掛フックを有する、凹面形状をしたパネルを２枚、向かい合わせに組み合わせ、側面左右下端に一つの回転軸を設けて結合、若しくは一つの回転軸を設けフレームを介して前後パネルを固定し、その回転軸位置を側面中央より手前に設け、且つ回転軸周りにスプリング等の弾性材料を用い、パネルを閉じる方向に作用させて袋が直接目に入らないようにした分別用袋掛けごみ箱で、手前パネル下端に踏込みペタルを設けることを特徴とする分別袋掛用ごみ箱。
(57)【要約】【課題】  本考案は美容室におけるシャンプー台において首が当たる部分に取り付け可能で、首の圧力を軽減する防水加工の施された低反発素材のシャンプー台用枕を使用することで利用者の首にかかる負担を軽減する。【解決手段】  本考案は枕内部に低反発素材を、外部には防水可能な素材を使用しシャンプー台の首に当たる部分にはめ込むことにより、シャンプー台と一体化させ利用者の首をささえ、首にかかる負担を軽減する。【選択図】  図１
0003102969.tif 000002
【実用新案登録請求の範囲】
【請求項１】
美容室におけるシャンプー台において首が当たる部分に取り付け可能で、首へかかる圧力を軽減する低反発素材のシャンプー台用防水枕
【考案の詳細な説明】
【技術分野】
【０００１】本考案は、美容室のシャンプー台の首に当たる部分に設置する枕に関するものである。
【背景技術】
【０００２】美容室におけるシャンプー台の首に当たる部分に設置する枕には、さまざまな素材があるが、現在はジェル状のものやタオルを使っていた。
【考案の開示】
【考案が解決しようとする課題】
【０００３】美容室におけるシャンプー台の首に当たる部分には枕はあるものの、人の首にかかる圧力は強力であり首にかかる負担は大きいものであった。従って、その枕を低反発素材かつ防水効果のある枕にすることにより、利用者の首にかかる負担を軽減するものである。
【課題を解決するための手段】
【０００４】本考案は、美容室におけるシャンプー台の首に当たる部分に設置する枕の内部に低反発素材を使用し、防水加工を施したものを使用することにより、利用者の首にかかる圧力を軽減する。
【考案の効果】
【０００５】上述の様に、本考案の低反発素材シャンプー台用防水枕は利用者の首にかかる圧力を軽減することができる。
【考案を実施するための最良の形態】
【０００６】枕の内部に低反発素材を使用し外部は防水効果のある素材を使用する。なお、低反発素材の質感を生かすために外部の素材は薄いものとする。また、シャンプー台の首にあたる部分に合致するサイズで製作し、いつでも取り外し可能とする。
【実施例】
【０００７】以下、添付図面に従って一実施例を説明する。素材は内部に低反発素材を用いて、外部には防水可能な素材を用いる。１の部分をシャンプー台にはめ込み使用する。２に利用者の首部分が当たり、首にかかる圧力を軽減する。
【図面の簡単な説明】
【０００８】
【図１】本考案の低反発素材シャンプー台用防水枕の一実施例を示す正面図である。
【図２】本考案の低反発素材シャンプー台用防水枕の一実施例を示す側面図である。
【符号の説明】
【０００９】  １  本体下部
２  本体上部
３  シャンプー台
４  本体
【図１】
0003102969.tif 000003
【図２】
0003102969.tif 000004
(57)【要約】【課題】本考案は、キャツシュカードの磁気情報を磁気情報読取装置で読取れない様にして、犯罪を未然に防ぐ為のキャツシュカードセフテイケースに関するものである。【解決手段】磁気不通材（鉛等）で作成した本体（１）の内部に柔らかい布等を張り、キャツシュカードが破損しない構造とする。又、同材質で作成した蓋（３）を本体（１）に被せる事により内部と外部の磁気の通過を遮断することができる。【選択図】  図１
0003102963.tif 000002
【実用新案登録請求の範囲】
【請求項１】
磁気不通過材質で覆つたケースにキャツシュカードを格納するものである。
【考案の詳細な説明】
【考案の詳細な説明】
【考案の技術分野】
【０００１】この考案は、磁気キャツシュカードの磁気情報を磁気情報読取装置で読取られない為に、キャツシュカードを磁気不通過材質（鉛等）で覆うものである。
【背景技術】
【０００２】従来，キャツシュカードを携帯する時は財布等に入れていた為、電車内等で身体に触れずに磁気情報が磁気情報読取装置で読取られ、銀行等の現金自動預払機で預金が引出される犯罪が多発している状況にある。
【考案が解決しようとする課題】
【０００３】本考案は、その欠点を除いて、キャツシュカードをキャツシュカードセフテイケースで携帯する事により、磁気情報が読取れず犯罪を未然に防ぐ為に開発するものである。
【課題を解決するための手段】
【０００４】いまその解決手段を図面にて説明すれば、
磁気不通過材質（鉛等）で作成した本体（１）の内部に柔らかい布等を張り、キャツシュカードが破損しない構造とする。
又、同材質で作成した蓋（３）を本体（１）に被せる事により内部と外部の磁気通過を遮断することが出来る。
【考案を実施するための最良の形態】
【０００５】本考案は、以上のような構造であるから、これを使用するときは、キャツシュカードを本体に挿入し、蓋をして携帯すればよいものである。
【考案の効果】
【０００６】本考案により、磁気情報読取装置によるキャツシュカードの磁気情報の読取を不可能にして、犯罪を未然に防ぐことができる。
【図面の簡単な説明】
【図１】  本考案の斜視図
【図２】  本考案の正面図
【図３】  本考案の蓋の斜視図
【符号の説明】
１は本体
２はカード保護布
３は蓋
【図１】
0003102963.tif 000003
【図２】
0003102963.tif 000004
【図３】
0003102963.tif 000005
【手続補正書】
【提出日】平成16年2月24日(2004.2.24)
【手続補正１】
【補正対象書類名】実用新案登録請求の範囲
【補正対象項目名】全文
【補正方法】変更
【補正の内容】
【実用新案登録請求の範囲】
【請求項１】
キャッシュカードを格納するケースであって、磁気不通過材質で覆われていることを特徴とするケース。
(57)【要約】      （修正有）【課題】冬季ゴルフプレイ時のゴルフボールの硬化を予防できるゴルフボール暖めカイロ袋の提供。【解決手段】使い捨てカイロを２枚合わせにし、両サイド、底部に和紙又はビニール紙で「マチ」を付け、ゴルフボールを中に入れる。【選択図】図１
0003102970.tif 000002
【実用新案登録請求の範囲】
【請求項１】
使い捨てカイロを２枚合わせにし、両サイド、底部に和紙又はビニール紙で「マチ」を付け、ゴルフボールを中に入るようにして、ゴルフボールを暖めることができる袋。
【考案の詳細な説明】
【技術分野】
【０００１】  この考案は、使い捨カイロを使用し、本考案  暖めカイロ袋にゴルフボールを入れ、冬の寒から守る  ゴルフボールに関するものである。
【背景技術】
【０００２】  従来、冬の寒い日でもゴルフボールの温度まで調節することは困難であった。
【考案の開示】
【考案が解決しようとする課題】
【０００３】  これにはつぎのような問題点があった。冬季ゴルフプレイの時、ゴルフボールが硬化し、飛距離が出にくい状態にあった。
【課題を解決するための手段】
【０００４】ゴルフボール硬化予防の為、使い捨てカイロを２枚合わせにし、両サイド底部に「マチ」を付け袋状にする。その中にボールを入れ袋ごとズボン又はスカートのポケットに入れる。
【考案の効果】
【０００５】  暖めたゴルフボールを使用すると飛距離が良く出て、ゴルフボール本来の動きが戻る。
0003102970.tif 000003
【図１】
0003102970.tif 000004
【手続補正書】
【提出日】平成16年3月30日(2004.3.30)
【手続補正１】
【補正対象書類名】明細書
【補正対象項目名】全文
【補正方法】変更
【補正の内容】
【考案の詳細な説明】
【技術分野】
【０００１】
この考案は、使い捨カイロを使用し、本考案  暖めカイロ袋にゴルフボールを入れ、冬の寒から守る  ゴルフボールに関するものである。
【背景技術】
【０００２】
従来、冬の寒い日でもゴルフボールの温度まで調節することは困難であった。
【考案の開示】
【考案が解決しようとする課題】
【０００３】
これにはつぎのような問題点があった。冬季ゴルフプレイの時、ゴルフボールが硬化し、飛距離が出にくい状態にあった。
【課題を解決するための手段】
【０００４】
ゴルフボール硬化予防の為、使い捨てカイロを２枚合わせにし、両サイド底部に「マチ」を付け袋状にする。その中にボールを入れ袋ごとズボン又はスカートのポケットに入れる。
【考案の効果】
【０００５】
暖めたゴルフボールを使用すると飛距離が良く出て、ゴルフボール本来の動きが戻る。
【図面の簡単な説明】
【０００６】
【図１】本考案の実施の形態に係るゴルフボール暖めカイロ袋の、特に「マチ」部分を引き出して示す全体構成図である。
【符号の説明】
【０００７】
１…カイロ  ２…マチ  ３…底部
【手続補正２】
【補正対象書類名】図面
【補正対象項目名】全図
【補正方法】変更
【補正の内容】
【図１】
0003102970.tif 000005
(57)【要約】【課題】  本考案は、個々のブロックで直接的に３次元造形物の構築を可能とし、かつ、それがアナログ的であることを可能とするブロック玩具を提供することを目的とする。【解決手段】  本考案は請求項１・２に記載したように、ブロックの全部の面に直線状凹部または直線状凸部のいづれかの嵌合部をもたせることにより、個々のブロックで直接的に３次元造形物の構築を可能とし、かつ嵌合部が直線状であることにより、ブロックのどの面も嵌合部直線上を任意にスライド連結が可能となり、アナログ的造形物の構築を可能としている。【選択図】  図１
0003102975.tif 000002
【実用新案登録請求の範囲】
【請求項１】
嵌合部をもつ立方体または直方体のブロックを複数個連結させて３次元造形物を組み立てるブロック玩具であって、各ブロックの６面には複数本の直線状凸の嵌合部分を有するか、複数本の直線状凹の嵌合部分を有することを特徴とするブロック玩具。 
【請求項２】
請求項１により、ブロックを上下方向のみならず、いづれの横方向にも圧着することにより連結出来、何階層にも積み上げられ、かつ連結した互いのブロックは連結用凹凸部に沿ってスライド可能であり、任意の位置で固定できるブロック玩具。
【考案の詳細な説明】
【技術分野】
【０００１】
本考案は、複数個のブロックを３次元的に連結させ、バラエティに富んだ造形物の構築を可能としたブロック玩具に関する。
【背景技術】
【０００２】
従来のブロック玩具は、ブロックの一部の面にしか嵌合部分をもたないため、３次元的連結は他のブロックとの組み合わせにおいて間接的に可能である。また、嵌合部の位置で連結が固定されるため造形物はブロックの大きさ単位のデジタル的なものになる。
【特許文献１】特開  平１０−００５４５１
【特許文献２】特表  ２００２−５２１１６１
【考案の開示】
【考案が解決しようとする課題】
【０００３】
本考案は上述の観点に鑑み、個々のブロックで直接的に３次元造形物の構築を可能とし、かつ、それがアナログ的であることを可能とするブロック玩具を提供することを目的とする。
【課題を解決するための手段】
【０００４】
本考案は請求項１・２に記載したように、ブロックの全部の面に直線状凹部または直線状凸部のいづれかの嵌合部をもたせることにより、個々のブロックで直接的に３次元造形物の構築を可能とし、かつ嵌合部が直線状であることにより、ブロックのどの面も嵌合部直線上を任意にスライド連結が可能となり、アナログ的造形物の構築を可能としている。
【考案の効果】
【０００５】
ブロックを上下方向のみならず、いづれの横方向にも連結出来、何階層にも積み上げが可能であり、それらの連結が連結用凹凸部の直線に沿って任意にスライドさせたり、連結用凹凸部の１本のみの連結も可能である。このことにより、バラエティに富んだ使用ができ、使用者の面白さや興味が持続されるとともに、創造意欲が高められる。
【考案を実施するための最良の形態】
【０００６】
図１のような一種類の立方体ブロックを複数個連結させて造形物を組み立てて遊ぶものである。
【実施例】
【０００７】
立方体の３面には連結用嵌合凹部（２ａ〜２ｆ）、他の３面には連結用嵌合凸部（１ａ〜１ｆ）を２本ずつ備えているので、任意のブロックの凹部２をもついづれかのと他のブロックの凸部１をもついづれかの面を合わせて押しつけ、連結する。上下方向または横方向に自由にスライドするので、目的の位置でストップさせ連結を完了させる。この繰り返しにより造形物を完成させることが出来る。
【０００８】
連結用凹凸部の位置は、立方体の各面の端から四分の一に設定することにより、図５のような連結などが考えられ、高度な造形物の構築が可能である。
【産業上の利用可能性】
【０００９】
建築物等の試作品用に利用可能である。
【図面の簡単な説明】
【００１０】
【図１】斜視図
【図２】１ａ、１ｂ凸部面の正面図
【図３】平面図
【図４】左側面図
【図５】組立例参考図
【符号の説明】
【００１１】
１ａ〜１ｆ  連結用凸部。
２ａ〜２ｆ  連結用凹部。
【図１】
0003102975.tif 000003
【図２】
0003102975.tif 000004
【図３】
0003102975.tif 000005
【図４】
0003102975.tif 000006
【図５】
0003102975.tif 000007
(57)【要約】      （修正有）【課題】いか角自体が発光体であり、光源を１００％活用でき、取集魚効果が高くなる。また、針の長さの不均一により、魚の捕獲効果を高める。【解決手段】いか角本体を発光体１とし、発光体その物を本体へ入れる。針２の長さを不均一にして交互に取付ける。しかし、針の出は同じにする。【選択図】図２
0003102959.tif 000002
【実用新案登録請求の範囲】
【請求項１】
イカ角本体を発光体とさせる為に、イカ角本体に発光体を注入する、また、発光体をカプセル状にして挿入させる。イカ角本体が、発光する事により一層集魚性を飛躍的に高めるとともに、確実にイカを捕獲する為に針の出を交互にする。これらの仕掛けにより、魚の捕獲効果を高める。
【考案の詳細な説明】
【技術分野】
【０００１】本発明は、釣具のルアーに関する。
【背景技術】
【０００２】従来のイカ角は、外観をメラで光らせて、均一の長さの針を平行に取付けている。
【考案の開示】
【考案が解決しようとする課題】
【０００３】従来のイカ角本体は、光が当たらないと光らない。針の長さが均一で掛かりにくい。
【課題を解決するための手段】
【０００４】イカ角本体を発光体とさせる為に、イカ角本体に発光体を注入する、また、発光体をカプセル状にして挿入させる。針の長さを不均一にして交互に取付ける。
【考案の効果】
【０００５】イカ角本体が、発光する事により一層集魚性を飛躍的に高めるとともに、針の長さの不均一により、魚の捕獲効果を高める。
【考案を実施するための最良の形態】
【０００６】イカ角本体を筒状にし、発光体を内部に入れる。針の長さを不均一にして交互に取付ける。
【実施例】
【０００７】発明の実施の形態を、実施例に基づき図面を参照しながら説明する。図１は平面図を示し図２の側面図は、イカ角に発光体１と針２を直接取付けたかたちを示す。【０００８】図２の側面図にあるように、針の長さを不均一にして交互に取付ける。しかし、針の出は、図３の底面図に記してあるように同じにする。
【産業上の利用可能性】
【０００９】以上のように本発明によれば、専門メーカーが製造し、釣りの道具として、漁師から一般の釣り愛好家によって使われる。
【図面の簡単な説明】
【００１０】
【図１】本発明のいか角が使用される状況を示した平面図である。
【図２】本発明のいか角が使用される状況を示した側面図である。
【図３】本発明のいか角が使用される状況を示した底面図である。
【符号の説明】
【００１１】    １    いか角本体である発光体。
２    いか角本体に付いている針である。
【図１】
0003102959.tif 000003
【図２】
0003102959.tif 000004
【図３】
0003102959.tif 000005
【手続補正書】
【提出日】平成16年2月19日(2004.2.19)
【手続補正１】
【補正対象書類名】実用新案登録請求の範囲
【補正対象項目名】全文
【補正方法】変更
【補正の内容】
【実用新案登録請求の範囲】
【請求項１】
・イカ角において、
（１）イカ角本体をカプセルにして発光体を挿入させる。
（２）イカ角針の出方を交互にする。
以上からなるイカ角。
(57)【要約】      （修正有）【課題】小型犬に着装させている洋服にリードを装着する事で、首輪の装着無しで散歩が出来る。【解決手段】可愛い洋服に付いた金具２にリード３を装着するだけで、首を絞める事無く散歩を楽しめる。【選択図】図３
0003102957.tif 000002
【実用新案登録請求の範囲】
【請求項１】
洋服１にベルト付金具２を縫いつけ、既製リード３のフックを取り付ける事により散歩の出来る洋服になる。
【考案の詳細な説明】
【考案の詳細な説明】
［考案が解決しようとする課題］
【０００１】  従来、首輪にリードを付けるが、散歩時の駆け足等で首輪が引っ張られる事による息苦しさが解消される、又首輪の着装無しでも簡単にリードを付け外出する事出来る。
［課題を解消するための手段］
【０００２】  ベルト付金具を洋服の背中前方部分に取り付ける事により、前足に着せた袖の部分等、洋服全体に引っ張られる力が分散される事により、咽喉の息苦しさが解消される。
［考案の効果］
【０００３】  お散歩ドレスを着装させ、駆け足等で引っ張られても咽喉の苦しみは無く長時間の散歩も可能であった。
【図面の簡単な説明】
【図１】洋服とベルト付金具の側面図である。
【図２】ベルト付金具を取り付けた洋服の平面図である。
【図３】洋服着装でベルト付金具に、既製リードを取り付けた状態の側面図である。
【符号の説明】
１  洋服
２  ベルト付金具
３  既製リード
【図１】
0003102957.tif 000003
【図２】
0003102957.tif 000004
【図３】
0003102957.tif 000005
【手続補正書】
【提出日】平成16年2月19日(2004.2.19)
【手続補正１】
【補正対象書類名】実用新案登録請求の範囲
【補正対象項目名】全文
【補正方法】変更
【補正の内容】
【実用新案登録請求の範囲】
【請求項１】
洋服１にベルト付金具２を縫いつけ、既製リード３のフックを取り付けた小型犬のお散歩ドレス
(57)【要約】【課題】  本考案は、携帯電話機の操作ボタン部の文字を拡大表示することを可能とし、高齢層を始め取扱に不慣れな人にとっても、より容易に操作しうるようにすることを目的とする。【解決手段】  携帯電話機の操作ボタン部の表面全面に、操作ボタンと同一内容の文字表示を有するシールを貼付する。携帯電話機の操作ボタン本体上の文字表示に比し、シール上の文字表示は約３倍程度の大きさを確保できるところから、表示の視認は容易となり操作性の改善に資することができる。【選択図】  図３
0003102960.tif 000002
【実用新案登録請求の範囲】
【請求項１】
携帯電話機の操作ボタン部の文字表示を、大きく明瞭に視認し得ることを可能とする携帯電話機用文字表示シール。
【請求項２】
携帯電話機の操作ボタン部と同一内容の文字表示を有し、操作ボタン部の表面全面に貼付して用いる請求項１記載の携帯電話機用文字表示シール。
【考案の詳細な説明】
【技術分野】
【０００１】  本考案は、携帯電話機の操作ボタン部の、文字視認・操作性を容易とするための文字拡大表示シールに関するものである。
【背景技術】
【０００２】  携帯電話機は、近年ますます小形化が進み、それによって操作ボタンの文字表示も極めて細字化せざるを得なくなってきた。その結果、文字表示の視認が困難な場合も生ずることがあるが、小形軽量化の携帯利便性が優先されてきた。【０００３】  しかし、携帯電話機が普及し、高齢層その他取扱に不慣れな人々が広く使用するようになってくると、小さな操作ボタン・細かい文字表示では確実な操作が難しいという問題が出てくるおそれがある。【０００４】  現在普及している携帯電話機は、キーボードの強度を保持するためボタンとボタンの間のフレームを一定の幅で確保する必要がある。したがって、文字表示を大きくするためにより広い表示スペース、より大きい操作ボタンを設けることは難しい。【０００５】  これまで、ディスプレー部の表示を拡大する方法はあった。また、操作ボタンそのものの上に新しく文字表示シールを貼るケースもときに見ることができるが、これとてもともと小さい操作ボタンであれば殆ど効果は見出だせなかったのが実情である。
【考案の開示】
【考案が解決しようとする課題】
【０００６】  解決しようとする問題点は、小形・精細化する携帯電話機の操作ボタン部の文字視認・操作性を容易にしようとするところにある。
【課題を解決するための手段】
【０００７】  本考案は、携帯電話機の操作ボタン部の表面全面に、操作ボタンと同一内容の拡大文字表示を有するシールを貼付することにより、操作ボタン部の文字表示をより大きく明瞭にし操作し易くすることを主要な特徴とするものである。【０００８】  シールは、文字表示を区切る区画線を僅かに立体化することによりキータッチの正確性をより確実に確保することができる。
【考案の効果】
【０００９】  本考案の携帯電話機用文字拡大表示シールは、携帯電話機本体の操作ボタン部と異なりボタン間のフレームスペースが不要なので、文字表示の区切りは細い区画線を設けるのみですみ、機器の強度を損ねることなくシール面のほぼ全面すなわち携帯電話機本体の表面の大部分を文字表示を拡大するためのスペースに使用できる。そのため、各表示文字は通常の携帯電話機の操作ボタンの文字に比して約三倍に拡大できる。したがって、表示の視認度・操作性は大幅に向上し得る利点がある。さらに、このシールは携帯電話機の操作ボタン部全面を覆うように貼付するため防塵・摩耗防止などにより操作ボタン部に起因する故障・損傷を予防する効果も有する。
【考案を実施するための最良の形態】
【００１０】  本考案は、単に一枚のシールよりなるもので、通常見られる全ての携帯電話機に簡単に実施することができ、かつキータッチの感触もなんら違和感なく使用できる。
【産業上の利用可能性】
【００１１】  格別の部品の利用を要せず、携帯電話機のデザインや表示の変更があってもシールの形状をかえることによりいかなる携帯電話機にも対応できる。また、シールを貼付するのみで簡単に使用できるので、希望者が自由にオプションとして利用でき、そのコストもシール一枚で極めて安価に提供が可能である。
【図面の簡単な説明】
【００１２】
【図１】シールの表面図の１例を示すものである。
【図２】シール左右側面の断面図である。
【図３】シールを貼付した使用例を示す斜視図である。
【符号の説明】
【００１３】  １携帯電話機の操作ボタン部用文字拡大表示シール
２シール台紙
３凸状の文字表示区画線
４携帯電話機本体
【図１】
0003102960.tif 000003
【図２】
0003102960.tif 000004
【図３】
0003102960.tif 000005
【手続補正書】
【提出日】平成16年3月1日(2004.3.1)
【手続補正１】
【補正対象書類名】実用新案登録請求の範囲
【補正対象項目名】請求項１
【補正方法】変更
【補正の内容】
【請求項１】
携帯電話機の操作ボタン部に対応する文字表示を、拡大表示することを可能とする、シール上全面に凸状の区画線を設けてなる携帯電話機用文字表示シール。
【手続補正２】
【補正対象書類名】実用新案登録請求の範囲
【補正対象項目名】請求項２
【補正方法】変更
【補正の内容】
【請求項２】
携帯電話機の操作ボタン部に対応する文字表示を、シール上に設けた凸状の区画線内に拡大表示し、操作ボタン部全面を覆うように貼付することにより、操作性・表示視認性の向上に資する請求項１記載の携帯電話機用文字表示シール。
(57)【要約】      （修正有）【課題】従来の発光体よりも、有効期間を長くする。単一仕様を、組立て式により、複数での使用を可能にする。【解決手段】発光体を光が通りにくいカプセルに入れ、光による劣化を防ぎ有効期間を長くする。発光体本体を凸凹にして繋ぎ合うように、組立て式とする。【効果】発光体に光が入らない為に、劣化せずに長期保存が出来る。本体の凸凹を繋ぎ組立てることにより、従来の光源より数十倍の光源が得られる。いろいろな形の光源体が出来る。【選択図】図３
0003102958.tif 000002
【実用新案登録請求の範囲】
【請求項１】
従来の発光体は、光により反応を起し、発光時間が短くなる為に有効期間も短いという欠点があった。その為に発光体を光が通りにくいカプセルに入れて、有効期間を長くする。カプセル保護の為と発光液が、不織布へ伝わるように多孔性のカバーを取付ける。
【請求項２】
従来の発光体は、単一での利用しかできない為に、光源体に限界がある。これをいろいろな形をした凸凹のカプセルにして、いろいろな組み合わせが出来るようにする。組み合わせが出来るようになることにより、数十倍の光源体を得られる事が出来る。また、マグネットとの併用で、いろいろな形の光源を作ることが出来る。
【考案の詳細な説明】
【技術分野】
【０００１】本発明は、催事に関する。
【背景技術】
【０００２】従来の発光体は、光に反応して劣化を起す。その結果、発光時間が短く有効期間も短い。また、単一での利用しかできない為に、光源体に限界がある。
【考案の開示】
【考案が解決しようとする課題】
【０００３】従来の発光体よりも、有効期間を長くする。単一仕様を、組立て式により、複数での使用を可能にする。
【課題を解決するための手段】
【０００４】発光体を光が通りにくいカプセルに入れ、光による劣化を防ぎ有効期間を長くする。発光体本体を凸凹にして繋ぎ合うように、組立て式とする。
【考案の効果】
【０００５】発光体に光が入らない為に、劣化せずに長期保存が出来る。本体の凸凹を繋ぎ組立てることにより、従来の光源より数十倍の光源が得られる。いろいろな形の光源体が出来る。
【考案を実施するための最良の形態】
【０００６】発光体を光の入らないカプセルに入れて、繋ぎ組立ての出来る凸凹の組立て式カプセルに入れる。
【実施例】
【０００７】発明の実施の形態を、実施例に基づき図面を参照しながら説明する。図１は平面図図２は正面図、図３は側面図を示し、本体１の外観を表す。【０００８】図４は断面図を示し、発光を均一に保つように毛細現象を起す、不織布、粒子など２を設置し、光の入らないカプセルにいれた発光体３の保護と毛細現象を起す、多孔性のカバー４を取付けた形を示す。いろいろな形に組立てられるように、本体を凸凹にしてマグネット５を取り付ける。
【産業上の利用可能性】
【０００９】以上のように本発明によれば、専門メーカーが製造し、イベント、催事、祭事の小道具として使われる。
【図面の簡単な説明】
【００１０】
【図１】  本発明の発光体が、組立てられる前の形を示した平面図である。
【図２】  本発明の発光体が、組立てられる前の形を示した正面図である。
【図３】  本発明の発光体の凹側をみた側面図である。
【図４】  本発明の発光体の水平断面を示した断面図である。
【符号の説明】
【００１１】    １    発光体の本体。
２    不織布
３    発光体
４    多孔性保護カバー
【図１】
0003102958.tif 000003
【図２】
0003102958.tif 000004
【図３】
0003102958.tif 000005
【図４】
0003102958.tif 000006
【手続補正書】
【提出日】平成16年2月19日(2004.2.19)
【手続補正１】
【補正対象書類名】実用新案登録請求の範囲
【補正対象項目名】全文
【補正方法】変更
【補正の内容】
【実用新案登録請求の範囲】
【請求項１】
・発光物質を光りが通りにくいカプセル（３）に入れ、前記カプセルの外側へ、前記カプセルの保護と発光体が外部へ浸透するようにする多孔性のカバー（４）を取付け、前記カバーの外周へ発光物質を発光させる為の不織布および高分子吸収体（２）を取付けた形からなる、長期保存用組立て式発光体。
【請求項２】
・発光体を、いろいろな形をした凸凹のカプセル（１）にし、凹の部分と凸の部分でジョイントできるようにし、凹の部分と凸の先端（５）にマグネットを取付け、お互いのマグネットで強固に付くようにした、請求項１に記載の長期保存用組立て式発光体。
(57)【要約】      （修正有）【課題】軽量化、且つ強度の安定性まで対応するスロープの提供。【解決手段】ＦＲＰ樹脂で作成していることにより、軽量化、且つ強度の安定性（１００ｋｇ程度）まで対応することを実現。その為持ち運びも、移動も楽で、滑り落ちることがないようにしている。（７０ｍｍ〜３５０ｍｍ）のある玄関の框に、簡単に乗せるだけで、スロープになる。そして、一般車トランクや、荷台あるいは、助手席、後部座席に置くことが出来る。段差（７０ｍｍ〜３５０ｍｍ）すべてに対応し、車椅子、段差なし歩行が可能となる。重さは５ｋｇとなる。【選択図】図３
0003102952.tif 000002
【実用新案登録請求の範囲】
【請求項１】
住宅やアパートや、段差（７０ｍｍ〜３５０ｍｍ）のある玄関の框や、玄関入口部及び、庭先、花壇、すべての階段、室内の段差などに、簡単に乗せるだけで、スロープになる商品である
【請求項２】
一般車及び医療施設車及び、介護施設車のトランクや、荷台あるいは、助手席、後部座席に置くことが出来る商品である。
【請求項３】
段差（７０ｍｍ〜３５０ｍｍ）すべてに対応し、簡単に持ち運べる手持ち機能がついている。
【請求項４】
重さは  ５ｋｇとなる。
【考案の詳細な説明】
（技術分野）
【０００１】本考案は足の悪い方及び車椅子の方及び段差を少しでもなくしたい方に対する解消に関する。
（背景技術）
【００２】従来この段差を解消するにあたり、完全に固定する事を前提としてきている、しかし  本考案の段差解消スロープは簡単に段差に乗せるだけで、スロープを作成し、尚且つ、屋外にも使用できる、移動型スロープである。
（考案の開示）
（考案が解決しようとする課題）
【０００３】従来技術に関しての問題は、アルミ製で、出来ているとか、木製とか、鋼製とかであり、尚且つ固定式がほとんどである。移動するにしても、重量的尚且つ  ７０ｍｍ〜３５０ｍｍまでと  段差が変化する物に対応できないという問題がある。
（課題を解決するための手段）
【０００４】      住宅やアパートの、段差（７０ｍｍ〜３５０ｍｍ）のある玄関の框や、玄関入口部及び、庭先、花壇、すべての階段、室内の段差などに、簡単に乗せるだけで、スロープになる商品である。そして、一般車及び医療施設車及び、介護施設車のトランクや、荷台あるいは、助手席、後部座席に置くことが出来る商品である。  段差（７０ｍｍ〜３５０ｍｍ）すべてに対応し、簡単に持ち運べる手持ち機能がついている。重さは  ５ｋｇとなる。
（考案の効果）
【０００５】まずは、ＦＲＰ樹脂で作成していることにより、軽量化尚且つ強度の安定性（１００ｋｇ程度）まで対応することを実現。住宅のバリアフリー化により、住宅の居室及び、風呂やトイレが床をフラット化されてきているが、玄関の入口段差（框）はまだバリアフリー化されてなく、その部分に設置することにより、車椅子及び、高齢化社会における老人の、歩行を楽に使用できる。そして、持ち運びも、移動も楽で、本考案の段差解消スロープは独自の技術により、滑り落ちることがないようにしている。
（考案を実施するための最良の形態）
【０００６】考案を実施するための形態は  ７０ｍｍ〜３５０ｍｍの段差に合うように独自のＲ断面を作成し、滑り落ちないように計画をし作成してある。本考案のスロープ幅員は  バリアフリー化に伴い、共通の７８０ｍｍとする。本考案のスロープの長さは８００ｍｍとし、小スペースでも支障のない様に作成、ほとんどのアパートにも対応できるように作成。車のトランク内部にも収納可能な寸法とする。重さは、手持ちにて気軽にもてるように５ｋｇとしている。
（実施例）
【０００７】住宅框に設置すると本考案のスロープは、傷のつきやすい木製の框を覆うようにゴムのラバーを配置、尚且つ、滑り止端部において、２ｍｍの厚みのゴムを敷き、摩擦による滑りも防止している。スロープ部の塗装のはがれを防止する為、ＦＲＰ樹脂の中に塗装も混ぜ込み作成している。従い、簡単に段差の上り下りの場所にスロープとして、掛けることができる。
（産業上の利用可能性）
【０００８】産業上の利用方法としては、介護支援センターなどのデイサービスにおける、各住宅廻りの労働の緩和の為、各住宅、各施設での利用
【図面の簡単な説明】
【０００９】
【図１】  正面図
【図２】  平面図
【符号の説明】
【００１０】▲１▼はＦＲＰ樹脂製品を表わす。
▲２▼はゴム樹脂製品を表わす。
▲３▼は持ち手の部分
▲４▼は段差がかかる半径を表わす。
【図１】
0003102952.tif 000003
【図３】
0003102952.tif 000004
【手続補正書】
【提出日】平成16年2月10日(2004.2.10)
【手続補正１】
【補正対象書類名】実用新案登録請求の範囲
【補正対象項目名】全文
【補正方法】変更
【補正の内容】
【実用新案登録請求の範囲】
【請求項１】
この段差解消スロープの形状は、曲線を持つＦＲＰ材料を基本とし、作成し、鼻先及び、設置面すべての箇所に  ゴムのノンスリップを持つ形状を有する段差解消スロープである。（住宅やアパートや、段差のある玄関の框や、玄関入口部及び、庭先、花壇、すべての階段、室内の段差などに、簡単に乗せるだけで、スロープになる商品である）
【請求項２】
この段差解消スロープの形状は  寸法  巾７８０ｍｍとし奥行き８００ｍｍとし  曲線を持つＦＲＰ材料を基本とし、作成し、小スペースの範囲に収納（一般車及び医療施設車及び、介護施設車のトランクや、荷台あるいは、助手席、後部座席に置くことが出来る商品である。）出来る形状を有する段差解消スロープである。
【請求項３】
この段差解消スロープの形状は  曲線を持つＦＲＰ材料を持つＦＲＰ材料を基本とし、作成し、簡単に手に持てる手持ち穴（簡単に持ち運べる手持ち機能がついている。）があり、手傷になりにくいゴムの覆いを有する段差解消スロープである。
【請求項４】
この段差解消スロープの形状は  曲線を持つＦＲＰ材料を基本とし、作成し、軽量性（重さは  ５ｋｇとなる。）を充実させた形状を有する段差解消スロープである。
【手続補正２】
【補正対象書類名】明細書
【補正対象項目名】０００９
【補正方法】変更
【補正の内容】
【０００９】（図１）  平面図  （段差解消スロープの上部より見下ろした平面）
（図２）  正面図  （段差解消スロープの鼻先からの正面）
（図３）  側面図  （段差解消スロープの横からの側面）
【手続補正３】
【補正対象書類名】図面
【補正対象項目名】全図
【補正方法】変更
【補正の内容】
【図１】
0003102952.tif 000005
【図２】
0003102952.tif 000006
【図３】
0003102952.tif 000007